(57)【要約】【課題】より早く監視内容を監視者に伝達することが可能な監視装置および監視プログラムの提供。【解決手段】ＣＣＤカメラ２と、検出器３と、監視者の携帯電話７の電子メールアドレスを予め記憶する通知先ＤＢ１１と、検出器３の検出結果に基づく監視情報を蓄積する監視情報ＤＢ１２と、ＣＣＤカメラ２により取り込んだ画像を蓄積する画像ＤＢ１３と、検出器３の検出結果に基づく監視情報を監視情報ＤＢ１２に記録する監視情報記録手段１４と、ＣＣＤカメラ２により取り込んだ画像を画像ＤＢ１３に記録する画像記録手段１５と、検出器３の検出結果に基づく監視情報と画像ＤＢ１３の画像にアクセスするための場所情報とを含む電子メールを、通知先ＤＢ１１の電子メールアドレス宛てにインターネットを介して送信する通知手段１６と、携帯電話７からの場所情報に基づく要求に対して画像データベースの画像を提供する情報提供手段１７とを有する。【選択図】　　　　図２
2004145652.tif 000002
【特許請求の範囲】
【請求項１】
検出器および撮像装置と、
監視者の携帯端末の電子メールアドレスを予め記憶する通知先データベースと、
前記撮像装置により取り込んだ画像を蓄積する画像データベースと、
前記撮像装置により取り込んだ画像を前記画像データベースに記録する画像記録手段と、
前記検出器の検出結果に基づく監視情報と前記画像データベースの画像にアクセスするための場所情報とを含む電子メールを、前記通知先データベースの電子メールアドレス宛てに通信ネットワークを介して送信する通知手段と、
前記携帯端末からの前記場所情報に基づく要求に対して前記画像データベースの画像を提供する情報提供手段と
を有する監視装置。
【請求項２】
前記検出器の検出結果に基づく監視情報を蓄積する監視情報データベースと、
前記検出器の検出結果に基づく監視情報を前記監視情報データベースに記録する監視情報記録手段と
を備えた請求項１記載の監視装置。
【請求項３】
前記情報提供手段は、前記携帯端末からの要求に対して前記監視情報データベースの監視情報を提供するものである
請求項２記載の監視装置。
【請求項４】
検出器および撮像装置と、
監視者の携帯端末の電子メールアドレスを予め記憶する通知先データベースと、
前記撮像装置により取り込んだ画像を蓄積する画像データベースと、
前記撮像装置により取り込んだ画像を前記画像データベースに記録する画像記録手段と、
前記検出器の検出結果に基づく監視情報と前記画像データベースの画像とを含む電子メールを、前記通知先データベースの電子メールアドレス宛てに通信ネットワークを介して送信する通知手段と
を有する監視装置。
【請求項５】
前記検出器の検出結果に基づく監視情報を蓄積する監視情報データベースと、
前記検出器の検出結果に基づく監視情報を前記監視情報データベースに記録する監視情報記録手段と
を備えた請求項４記載の監視装置。
【請求項６】
前記携帯端末からの要求に対して前記監視情報データベースの監視情報を提供する情報提供手段を備えた請求項５記載の監視装置。
【請求項７】
前記検出器を複数備え、
前記通知手段は、前記複数の検出器のそれぞれの検出結果を複合的に解析して前記監視情報を送信するものである
請求項１から６のいずれかに記載の監視装置。
【請求項８】
前記画像記録手段は、前記検出器の動作をトリガとして前記撮像装置により取り込んだ画像を前記画像データベースに格納するものである請求項１から７のいずれかに記載の監視装置。
【請求項９】
前記検出器を呼び鈴に備えた請求項８記載の監視装置。
【請求項１０】
検出器および撮像装置が接続されるコンピュータを、
監視者の携帯端末の電子メールアドレスを予め記憶する通知先データベースと、
前記撮像装置により取り込んだ画像を蓄積する画像データベースと、
前記撮像装置により取り込んだ画像を前記画像データベースに記録する画像記録手段と、
前記検出器の検出結果に基づく監視情報と前記画像データベースの画像にアクセスするための場所情報とを含む電子メールを、前記通知先データベースの電子メールアドレス宛てに通信ネットワークを介して送信する通知手段と、
前記携帯端末からの前記場所情報に基づく要求に対して前記画像データベースの画像を提供する情報提供手段と
して機能させるための監視プログラム。
【請求項１１】
検出器および撮像装置が接続されるコンピュータを、
監視者の携帯端末の電子メールアドレスを予め記憶する通知先データベースと、
前記撮像装置により取り込んだ画像を蓄積する画像データベースと、
前記撮像装置により取り込んだ画像を前記画像データベースに記録する画像記録手段と、
前記検出器の検出結果に基づく監視情報と前記画像データベースの画像とを含む電子メールを、前記通知先データベースの電子メールアドレス宛てに通信ネットワークを介して送信する通知手段と
して機能させるための監視プログラム。
【発明の詳細な説明】
【０００１】
【発明の属する技術分野】
本発明は、通信ネットワークを用いた監視装置および監視プログラムに関する。
【０００２】
【従来の技術】
従来、監視会社によって、住宅、ビル、マンション用の監視システムが提供されている。この種の監視システムでは、住宅等に取り付けた各種センタおよび操作盤が、通信ネットワークを介して監視センタに接続された構成となっている。このようなシステムでは、各種センサが動作したときに自動的に監視センタに異常が通知されるため、その後の監視会社の迅速かつ適切な措置により、不法侵入者による被害等を防ぐことができる。
【０００３】
また、近年では、住宅等に取り付けた監視カメラによる監視画像を、インターネットを介して遠隔地のパーソナルコンピュータや携帯電話等により確認できるようにしたシステムが提案されている。
【０００４】
例えば、特許文献１には、防犯センサで異常を監視し、センサが作動すると、監視カメラにより撮影した画像を取り込んでデータベースに蓄積する防犯監視システムが開示されている。また、この防犯監視システムでは、インターネット等を介して携帯端末器を呼び出し、応答があればユーザ認証を行って、ユーザであることを確認できれば、撮影した画像などを配信する。
【０００５】
また、非特許文献１には、各種センサやカメラをターミナルに接続し、インターネット経由で遠隔地の監視を行えるようにした監視システムが開示されている。この監視システムでは、カメラにより取り込んだ画像を一旦ターミナルからインターネット経由でセンタのサーバへ送信し、このサーバを通じて監視者の携帯電話等にメールにより通知し、監視者はこのサーバにアクセスして監視画像を見る。
【０００６】
【特許文献１】
特開２００２−１６５２１１号公報
【非特許文献２】
“インターネットカメラ＠株式会社ベルショップ”、［ｏｎｌｉｎｅ］、２００１年、株式会社ベルショップ、［２００２年８月２８日検索］、インターネット＜ＵＲＬ：　ｈｔｔｐ：／／ｗｗｗ．ｂｅｌｌｓｈｏｐ−ｗｅｂ．ｃｏ．ｊｐ／ｃｙｂｅｒ／ｉｎｄｅｘ．ｈｔｍｌ＞
【０００７】
【発明が解決しようとする課題】
特許文献１の防犯監視システムでは、監視者に対して撮影した画像を配信する際に、呼び出し、応答、ユーザ認証、配信の手順を踏む必要があるため、監視者が画像を見るまでに時間が掛かる。
【０００８】
また、非特許文献１の監視システムでは、センタのサーバで複数の監視者のカメラの画像を集中して管理し、各監視者はそれぞれがこのサーバにアクセスして各カメラの画像を見るものであるため、サーバへのアクセスが集中した場合には画像を見るまでに時間が掛かることになる。
【０００９】
監視システムは、より速く監視内容を監視者に伝達することが重要であるが、上記のように従来の監視システムでは、監視画像を監視者に伝達するまでに時間が掛かる。
【００１０】
そこで、本発明においては、より早く監視内容を監視者に伝達することが可能な監視装置および監視プログラムを提供することを目的とする。
【００１１】
【課題を解決するための手段】
本発明の監視装置は、検出器および撮像装置と、監視者の携帯端末の電子メールアドレスを予め記憶する通知先データベースと、撮像装置により取り込んだ画像を蓄積する画像データベースと、撮像装置により取り込んだ画像を画像データベースに記録する画像記録手段と、検出器の検出結果に基づく監視情報と画像データベースの画像にアクセスするための場所情報とを含む電子メールを、通知先データベースの電子メールアドレス宛てに通信ネットワークを介して送信する通知手段と、携帯端末からの場所情報に基づく要求に対して画像データベースの画像を提供する情報提供手段とを有するものである。
【００１２】
本発明の監視装置によれば、異常が発生した際、検出器の検出結果に基づく監視情報と撮像装置により取り込んで画像データベースに記録した画像にアクセスするための場所情報とを含む電子メールが、予め通知先データベースに記憶された監視者の携帯端末の電子メールアドレス宛てに通信ネットワークを介して送信される。これにより、監視者は、携帯端末により受信した電子メールに含まれる監視情報によって、監視場所で発生した異常の内容を直に知ることができる。また、監視者は、この携帯端末によって受信した電子メールに含まれる場所情報に基づいて、監視装置に撮像装置により取り込んだ画像を要求することにより、この監視装置に備えた画像データベースの画像を直に受け取り、携帯端末上で見ることができる。
【００１３】
また、本発明の別の監視装置は、検出器および撮像装置と、監視者の携帯端末の電子メールアドレスを予め記憶する通知先データベースと、前記撮像装置により取り込んだ画像を蓄積する画像データベースと、前記撮像装置により取り込んだ画像を前記画像データベースに記録する画像記録手段と、前記検出器の検出結果に基づく監視情報と前記画像データベースの画像とを含む電子メールを、前記通知先データベースの電子メールアドレス宛てに通信ネットワークを介して送信する通知手段とを有するものである。
【００１４】
この監視装置によれば、異常が発生した際、検出器の検出結果に基づく監視情報と撮像装置により取り込んで画像データベースに記録した画像とを含む電子メールが、予め通知先データベースに記憶された監視者の携帯端末の電子メールアドレス宛てに通信ネットワークを介して送信される。これにより、監視者は、携帯端末により受信した電子メールに含まれる監視情報および画像によって、監視場所で発生した異常の内容を直に知ることができる。
【００１５】
本発明の監視装置は、検出器の検出結果に基づく監視情報を蓄積する監視情報データベースと、検出器の検出結果に基づく監視情報を監視情報データベースに記録する監視情報記録手段とを備えたものとするのが望ましい。これにより、検出器の検出結果に基づく監視情報を監視情報データベースに逐一記録しておき、後に、この監視情報データベースに蓄積された監視情報を参照することができる。
【００１６】
また、本発明の監視装置は、検出器を複数備え、通知手段は、複数の検出器のそれぞれの検出結果を複合的に解析して監視情報を送信するものであることが望ましい。これにより、一つの検出器が異常を誤検出した場合であっても、他の検出器により異常が検出され、複数の検出器のそれぞれの検出結果を複合的に解析して真に異常が発生したと判断されない限り、監視者の携帯端末に監視情報を送信することがなくなる。
【００１７】
さらに、画像記録手段は、検出器の動作をトリガとして撮像装置により取り込んだ画像を画像データベースに格納するものであることが望ましい。これにより、検出器の動作と同期させた撮像画像を得ることができる。ここで、検出器を呼び鈴に備えたものとすれば、呼び鈴の動作のタイミングで来訪者の画像を得ることができる。
【００１８】
本発明の監視プログラムは、検出器および撮像装置が接続されるコンピュータを、監視者の携帯端末の電子メールアドレスを予め記憶する通知先データベースと、撮像装置により取り込んだ画像を蓄積する画像データベースと、撮像装置により取り込んだ画像を画像データベースに記録する画像記録手段と、検出器の検出結果に基づく監視情報と画像データベースの画像にアクセスするための場所情報とを含む電子メールを、通知先データベースの電子メールアドレス宛てに通信ネットワークを介して送信する通知手段と、携帯端末からの場所情報に基づく要求に対して画像データベースの画像を提供する情報提供手段として機能させるためのものである。
【００１９】
また、本発明の別の監視プログラムは、検出器および撮像装置が接続されるコンピュータを、監視者の携帯端末の電子メールアドレスを予め記憶する通知先データベースと、撮像装置により取り込んだ画像を蓄積する画像データベースと、撮像装置により取り込んだ画像を画像データベースに記録する画像記録手段と、検出器の検出結果に基づく監視情報と画像データベースの画像とを含む電子メールを、通知先データベースの電子メールアドレス宛てに通信ネットワークを介して送信する通知手段として機能させるためのものである。
【００２０】
これらの監視プログラムを、検出器および撮像装置が接続されるコンピュータ上で実行することにより、このコンピュータを上記本発明の監視装置と同様に機能させることができる。
【００２１】
【発明の実施の形態】
図１は本発明の実施の形態における監視システムの構成図である。
図１において、本実施形態における監視システムは、監視対象となる建物の屋内に設置される、監視プログラムの実行により監視装置として機能するパーソナルコンピュータ（以下、「ＰＣ」と称す。）１と、撮像装置としてのＣＣＤ（Ｃｈａｒｇｅ　Ｃｏｕｐｌｅｄ　Ｄｅｖｉｃｅ）カメラ２と、ドアホン３ａ、ガスセンサ３ｂ、熱センサ３ｃ、煙センサ３ｄおよびドア／窓センサ３ｅ等の各種様々な状態を検出する検出器３と、モデム装置４と、電話機５とを有する。
【００２２】
ＣＣＤカメラ２、各種検出器３（ドアホン３ａ，ガスセンサ３ｂ，熱センサ３ｃ，煙センサ３ｄ，ドア／窓センサ３ｅ等）、モデム装置４および電話機５は、それぞれＰＣ１に接続されている。ＰＣ１は、モデム装置４を介して通信ネットワークとしてのインターネット６に接続されている。また、本実施形態における監視システムは、監視者が携帯する携帯端末としての携帯電話７やハンドヘルドコンピュータ（以下、「ＨＣ」と称す。）８等を利用するものである。
【００２３】
ドアホン３ａは、呼び鈴、マイクやスピーカ等を備え、呼び鈴の押下を検出するものである。ドアホン３ａは、ＣＣＤカメラ２を内蔵してもよい。ガスセンサ３ｂは、ガス漏れを検知するものである。熱センサ３ｃは、火災等による発熱を検出するものである。煙センサ３ｄは、火災等による煙の発生を検出するものである。ドア／窓センサ３ｅは、ドア・窓の開閉、振動や割れ等を検出するものである。
【００２４】
図２は監視装置として機能するＰＣ１の構成を示すブロック図である。
図２に示すように、ＰＣ１は、各種データベース（以下、「ＤＢ」と称す。）としての通知先ＤＢ１１、監視情報ＤＢ１２および画像ＤＢ１３と、監視情報記録手段１４と、画像記録手段１５と、通知手段１６と、情報提供手段１７とを有する。
【００２５】
通知先ＤＢ１１は、各種検出器３による検出結果等を通知する通知先として、監視者の携帯電話７の電子メールアドレスを予め記憶するものである。この通知先ＤＢ１１に登録する電子メールアドレスは、監視者がＰＣ１により任意に設定することが可能である。なお、通知先の電子メールアドレスとして、携帯電話７の電子メールアドレスの他、ＨＣ８の電子メールアドレスを登録することも可能である。
【００２６】
監視情報ＤＢ１２は、各検出器３の検出結果に基づく監視情報を蓄積するものである。ここで、監視情報とは、各検出器３の検出結果そのものの他、各検出器３の検出結果に基づいて分析した監視結果などを含むものとする。画像ＤＢ１３は、ＣＣＤカメラ２により取り込んだ画像を蓄積するものである。
【００２７】
監視情報記録手段１４は、前述の各検出器３の検出結果に基づく監視情報を監視情報ＤＢ１２に逐次記録する手段である。画像記録手段１５は、ＣＣＤカメラ２により取り込んだ画像を画像ＤＢ１３に逐次記録する手段である。また、画像記録手段１５は、ドアホン３ａによる呼び鈴の押下の検出などの検出器３の動作をトリガとして、ＣＣＤカメラ２により取り込んだ画像を画像ＤＢ１３に格納する機能を備える。
【００２８】
通知手段１６は、前述の各検出器３の検出結果に基づく監視情報と、画像ＤＢ１３の画像にアクセスするための場所情報としてのＵＲＬ（Ｕｎｉｆｏｒｍ　Ｒｅｓｏｕｒｃｅ　Ｌｏｃａｔｏｒ）または画像ＤＢ１３の画像情報そのものとを含む電子メールを、通知先ＤＢ１１に登録された電子メールアドレス宛てにインターネット６を介して送信する手段である。
【００２９】
また、通知手段１６は、複数の検出器３のそれぞれの検出結果を複合的に解析した結果、真に異常が発生したと判断した場合にのみ、監視情報を送信する機能を備える。ここで、画像ＤＢ１３の画像にアクセスするためのＵＲＬは、次の情報提供手段１７に対して携帯電話７から情報提供要求をするためのものである。
【００３０】
情報提供手段１７は、携帯電話７からのＵＲＬに基づく情報提供要求に対して画像ＤＢ１３の画像を提供するものである。また、情報提供手段１７は、携帯電話７からの要求に対して、画像ＤＢ１３の画像のみならず、監視情報ＤＢ１２に蓄積した監視情報の詳細について提供する機能を備える。
【００３１】
次に、上記構成の監視システムによる監視の例について、図３から図７を参照して説明する。
【００３２】
本実施形態における監視システムによる監視を行う際、まず、ＰＣ１上で監視プログラムを実行し、監視動作を開始させる。あるいは、図３に示すように監視者が携帯する携帯電話７によりインターネット６およびモデム装置４を介してＰＣ１に接続し、各検出器３の動作のオン・オフをリモートコントロールすることも可能である。
【００３３】
監視装置による監視中、ＣＣＤカメラ２は所定のタイミングで随時画像を取り込んでおり、画像記録手段１５は、このＣＣＤカメラ２によって取り込んだ画像を画像ＤＢ１３に逐次記録している。あるいは、画像記録手段１５は、各検出器３による検出動作をトリガとして、ＣＣＤカメラ２によって取り込んだ画像を画像ＤＢ１３に格納するように構成することもできる。
【００３４】
各検出器３が異常を検出すると、監視情報記録手段１４は、各検出器３による検出結果に基づく監視情報を監視情報ＤＢ１２に記録する。そして、通知手段１６は、この監視情報ＤＢ１２の監視情報と、画像ＤＢ１３の画像にアクセスするためのＵＲＬとを含む電子メールを、通知先ＤＢ１１に登録された携帯電話７の電子メールアドレス宛てにインターネット６を介して送信する。
【００３５】
図４は監視情報として火災警報作動を通知する例を示している。図４の電子メールは、熱センサ３ｃにより火災と判断される温度以上の温度が検出された際に、通知手段１６によって携帯電話７に送信されるものである。この電子メールには、熱センサ３ｃによる検出結果と、その対処方法として消防署や防犯会社等への連絡先の電話番号２１等が記載されている。
【００３６】
また、この電子メールには、ＣＣＤカメラ２によって取り込まれ、画像ＤＢ１３に格納された画像にアクセスするためのＵＲＬに張られたリンクボタン２２が埋め込まれている。そして、携帯電話７によってこのリンクボタン２２を指定すると、携帯電話７からＰＣ１へリンクボタン２２のＵＲＬに基づく情報提供要求がなされる。ＰＣ１は、この要求に基づいて情報提供手段１７による処理を行う。
【００３７】
情報提供手段１７は、携帯電話７からのＵＲＬに基づく情報提供要求に対して画像ＤＢ１３の画像とともに、監視情報ＤＢ１２に蓄積した監視情報の詳細について示したウェブページ（図示せず）を携帯電話７に提供する。このウェブページには、ＣＣＤカメラ２により取り込まれ、画像ＤＢ１３に格納された最新の画像が表示される。
【００３８】
図５は監視情報としてガラス警報作動を通知する例を示している。図５の電子メールは、ドア／窓センサ３ｅにより窓の破損が検出され、さらに検出器３としての赤外線センサにより侵入者が検出された際に、通知手段１６によって携帯電話７に送信されるものである。この電子メールには、ドア／窓センサ３ｅによる検出結果と、その対処方法として警察や家族等への連絡先の電話番号３１等が記載されている。
【００３９】
また、この電子メールには、ＣＣＤカメラ２によって取り込まれ、画像ＤＢ１３に格納された画像にアクセスするためのＵＲＬに張られたリンクボタン３２が埋め込まれている。そして、携帯電話７によってこのリンクボタン３２を指定すると、携帯電話７からＰＣ１へリンクボタン３２のＵＲＬに基づく情報提供要求がなされる。ＰＣ１は、この要求に基づいて情報提供手段１７による処理を行う。
【００４０】
情報提供手段１７は、携帯電話７からのＵＲＬに基づく情報提供要求に対して画像ＤＢ１３の画像とともに、監視情報ＤＢ１２に蓄積した監視情報の詳細について示したウェブページ３３を携帯電話７に提供する。このウェブページ３３には、ＣＣＤカメラ２により取り込まれ、画像ＤＢ１３に格納された最新の画像（図示せず）が表示される。
【００４１】
また、図５に示すように、ウェブページ３３には、複数の検出器３（ドア／窓センサ３ｅ，赤外線センサ）による検出結果が表示されている。図５の例では、通知手段１６は、複数の検出器３のそれぞれの検出結果を複合的に解析した上で監視情報を携帯電話７に送信している。このように、本システムでは、一つの検出器３が異常を誤検出した場合であっても、他の検出器３により異常が検出され、複数の検出器３のそれぞれの検出結果を複合的に解析して真に異常が発生したと判断されない限り、監視者の携帯電話７に監視情報を送信することがないため、携帯電話７へ誤報が送信されるのを防止することができる。
【００４２】
図６は監視情報として玄関の電子ロック解除を通知する例を示している。図６の電子メールは、検出器３としての電子ロックセンサにより玄関の電子ロック解除が検出された際に、通知手段１６によって携帯電話７に送信されるものである。この電子メールには、電子ロックセンサによる検出結果が記載されている。
【００４３】
また、この電子メールには、ＣＣＤカメラ２によって取り込まれ、画像ＤＢ１３に格納された画像にアクセスするためのＵＲＬに張られたリンクボタン４１が埋め込まれている。携帯電話７によってこのリンクボタン４１を指定すると、携帯電話７からＰＣ１へリンクボタン４１のＵＲＬに基づく情報提供要求がなされる。ＰＣ１は、この要求に基づいて情報提供手段１７による処理を行う。情報提供手段１７による処理は前述の通りである。
【００４４】
図７は監視情報としてドアホン３ａの呼び鈴の押下を通知する例を示している。監視情報記録手段１４は、ドアホン３ａの呼び鈴の押下の検出をトリガとして、ＣＣＤカメラ２により取り込んだ画像を画像ＤＢ１３に格納する。また、このとき、通知手段１６は、ドアホン３ａの呼び鈴が押下されたという監視情報と、この画像ＤＢ１３に格納した画像にアクセスするためのＵＲＬを含む電子メールを携帯電話７へ送信する。なお、この通知手段１６による携帯電話７への最初の電子メールの送信の際、画像ＤＢ１３に格納した画像にアクセスするためのＵＲＬを含む電子メールではなく、画像ＤＢ１３の画像そのものをこの電子メールに添付することも可能である。
【００４５】
そして、携帯電話７からの、この電子メールに含まれるＵＲＬに基づいた情報提供要求に対して、情報提供手段１７は、画像ＤＢ１３の画像とともに、監視情報ＤＢ１２に蓄積した監視情報の詳細について示したウェブページ５１を携帯電話７に提供する。このウェブページ５１には、ＣＣＤカメラ２により取り込まれ、画像ＤＢ１３に格納された最新の画像５２が表示される。
【００４６】
さらに、本実施形態における監視システムでは、このドアホン３ａの呼び鈴の押下に対して、携帯電話７により応対することが可能である（図７（ａ），（ｂ）参照）。携帯電話７により応対する場合、携帯電話７と電話機５とが接続される。この電話機５はＰＣ１に接続され、ＰＣ１を介してドアホン３ａのマイクおよびスピーカに接続されているため、携帯電話７とドアホン３ａとの間で通話することが可能である。
【００４７】
また、ここで、携帯電話７により過去の訪問者を確認したい場合（図７（ｃ）参照）、携帯電話７からＰＣ１へ情報提供要求を行う。ＰＣ１の情報提供手段７は、この携帯電話７からの要求に基づいて、監視情報ＤＢ１２および画像ＤＢ１３を参照し、ドアホン３ａの呼び鈴の押下時の監視情報および画像を携帯電話７へ提供する。
【００４８】
以上のように、監視者は、携帯電話７により受信した電子メールに含まれる監視情報によって、監視場所で発生した異常の内容を直に知ることができる。また、監視者は、この携帯電話７によって受信した電子メールに含まれるＵＲＬに張られたリンクボタン２２に基づいて、ＰＣ１にＣＣＤカメラ２により取り込んだ画像を要求することにより、このＰＣ１に備えた画像ＤＢ１３の画像を、ＰＣ１から直に受け取り、携帯電話７上で見ることができる。
【００４９】
したがって、本実施形態における監視システムでは、従来のように監視者に対して撮像した際に呼び出し、応答、ユーザ認証、配信の手順を踏むことなく、ＰＣ１から直に監視者の携帯電話７へ監視情報や画像等を送信するため、監視者は短時間でこれらの情報を得ることができる。また、センタのサーバで複数の監視者のカメラの画像を集中して管理することなく、各監視者の個別のＰＣ１でＣＣＤカメラ２の画像および各センサ３を管理し、このＰＣ１により監視者の携帯電話７へ情報を伝達するため、アクセス集中による情報取得までの時間のロスが生じることがない。
【００５０】
【発明の効果】
本発明により、以下の効果を奏することができる。
【００５１】
（１）監視者の携帯端末の電子メールアドレスを予め記憶する通知先データベースと、撮像装置により取り込んだ画像を蓄積する画像データベースと、撮像装置により取り込んだ画像を画像データベースに記録する画像記録手段と、検出器の検出結果に基づく監視情報と画像データベースの画像にアクセスするための場所情報とを含む電子メールを、通知先データベースの電子メールアドレス宛てに通信ネットワークを介して送信する通知手段と、携帯端末からの場所情報に基づく要求に対して画像データベースの画像を提供する情報提供手段とを有すること、または、検出器の検出結果に基づく監視情報と画像データベースの画像とを含む電子メールを、通知先データベースの電子メールアドレス宛てに通信ネットワークを介して送信する通知手段を有することによって、異常が発生した際、検出器の検出結果に基づく監視情報と撮像装置により取り込んで画像データベースに記録した画像にアクセスするための場所情報とを含む電子メールが、予め通知先データベースに記憶された監視者の携帯端末の電子メールアドレス宛てに通信ネットワークを介して直に送信されるため、監視者は従来のように長い手順を踏むことなく、短時間で監視情報および監視画像を得ることができる。
【００５２】
（２）検出器の検出結果に基づく監視情報を蓄積する監視情報データベースと、検出器の検出結果に基づく監視情報を監視情報データベースに記録する監視情報記録手段とを備えたことにより、検出器の検出結果に基づく監視情報を監視情報データベースに逐一記録しておき、後に、この監視情報データベースに蓄積された監視情報に基づいて、発生した異常に対応することができる。
【００５３】
（３）検出器を複数備え、通知手段は、複数の検出器のそれぞれの検出結果を複合的に解析して監視情報を送信するものであることによって、一つの検出器が異常を誤検出した場合であっても、他の検出器により異常が検出され、複数の検出器のそれぞれの検出結果を複合的に解析して真に異常が発生したと判断されない限り、監視者の携帯端末に監視情報を送信することがなく、誤報を防止することができる。
【００５４】
（４）画像記録手段は、検出器の動作をトリガとして撮像装置により取り込んだ画像を画像データベースに格納することで、検出器の動作と同期させた撮像画像を得ることができ、検出器を呼び鈴に備えた場合には、呼び鈴の動作のタイミングで来訪者の画像を得ることが可能となる。
【図面の簡単な説明】
【図１】本発明の実施の形態における監視システムの構成図である。
【図２】監視装置として機能するパーソナルコンピュータの構成を示すブロック図である。
【図３】監視者の携帯電話による監視動作のリモートコントロールの様子を示す図である。
【図４】監視情報として火災警報作動を通知する例を示す図である。
【図５】監視情報としてガラス警報作動を通知する例を示す図である。
【図６】監視情報として玄関の電子ロック解除を通知する例を示す図である。
【図７】監視情報としてドアホンの呼び鈴の押下を通知する例を示す図である。
【符号の説明】
１　パーソナルコンピュータ（ＰＣ）
２　ＣＣＤカメラ
３　検出器
３ａ　ドアホン
３ｂ　ガスセンサ
３ｃ　熱センサ
３ｄ　煙センサ
３ｅ　ドア／窓センサ
４　モデム装置
５　電話機
６　インターネット
７　携帯電話
８　ハンドヘルドコンピュータ（ＨＣ）
１１　通知先データベース（ＤＢ）
１２　監視情報データベース（ＤＢ）
１３　画像データベース（ＤＢ）
１４　監視情報記録手段
１５　画像記録手段
１６　通知手段
１７　情報提供手段
【図１】
2004145652.tif 000003
【図２】
2004145652.tif 000004
【図３】
2004145652.tif 000005
【図４】
2004145652.tif 000006
【図５】
2004145652.tif 000007
【図６】
2004145652.tif 000008
【図７】
2004145652.tif 000009